【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
第１のモバイルネットワークと関連付けられた第１の国際移動体加入者識別番号（ＩＭＳＩ）に付与されたモバイル機器から送信されるデータトラフィックを検査し、
前記モバイル機器が前記検査されたデータトラフィックから要求しているまたはアクセスしているデータサービスの識別を判断し、
前記データサービスの前記識別を切替論理モジュールへ送信するように構成されたデータ検査モジュールと、
前記データ検査モジュールと通信可能に接続された前記切替論理モジュールであって、
前記モバイル機器が要求した前記データサービスの前記識別を受信し、前記モバイル機器に付与するための、第２のモバイルネットワークと関連付けられた第２のＩＭＳＩを選択し、かつ、前記モバイル機器に前記第２のＩＭＳＩを付与するように構成された前記切替論理モジュールとを備え、
前記識別は、
（ｉ）データ接続を要求しているまたはデータ接続にアクセスしている前記モバイル機器によって実行されるソフトウェアアプリケーション、
（ｉｉ）前記モバイル機器によって要求されるインターネットウェブサイト、
（ｉｉｉ）前記モバイル機器がアクセスを要求したインターネットプロトコルアドレスの少なくとも１つであり、
前記第２のＩＭＳＩの前記選択は、前記モバイル機器から送信される前記検査されたデータトラフィックから判断された前記データサービスの識別に少なくとも部分的に基づいている、システム。
【請求項２】
請求項１に記載のシステムにおいて、前記切替論理モジュールは、さらに、前記第２のＩＭＳＩを前記モバイル機器に付与する前に、前記第２のＩＭＳＩが、回避するＩＭＳＩのリストに含まれていないことを判断するように構成されている、システム。
【請求項３】
請求項１に記載のシステムにおいて、
前記データ検査モジュールは、さらに、
前記モバイル機器から送信されるデータトラフィックをデータサービスのシグネチャについて検査し、かつ
検査された前記データトラフィックからのデータサービスのシグネチャを、シグネチャデータベースに記憶されているデータサービスの既知のシグネチャと比較して、前記モバイル機器が前記検査されたデータトラフィックから要求しているまたはアクセスしている前記データサービスの前記識別を判断する
ように構成されている、システム。
【請求項４】
請求項１に記載のシステムにおいて、前記データ検査モジュールは、ディープ・パケット・インスペクションを用いて前記モバイル機器から送信される前記データトラフィックを検査するように構成されている、システム。
【請求項５】
請求項１に記載のシステムにおいて、前記切替論理モジュールは、前記モバイル機器によって要求されたまたはアクセスされた前記識別されたデータサービスに対して前記第２のモバイルネットワークが課金するレートに基づいて、前記第２のＩＭＳＩを選択するように構成されており、
前記第２のモバイルネットワークが課金する前記レートは、前記識別されたデータサービスに特有である、システム。
【請求項６】
請求項１に記載のシステムにおいて、前記第２のＩＭＳＩの選択は、さらに、前記第１のモバイルネットワークまたは前記第２のモバイルネットワークの状況、前記モバイル機器が要求しているデータの種類、前記モバイル機器によって要求されるデータ量のいずれか１つ以上に基づいている、システム。
【請求項７】
請求項３に記載のシステムにおいて、前記データ検査モジュールは、さらに、
所定の期間にわたって複数のモバイル機器によって使用されたデータ量を追跡するように構成され、それぞれの前記モバイル機器には、前記第１のモバイルネットワークと関連付けられたＩＭＳＩが付与されており、
前記切替論理モジュールは、さらに、
前記複数のモバイル機器の少なくとも一部に付与する異なるＩＭＳＩを選択し、かつ、
前記複数のモバイル機器の前記少なくとも一部に対して、選択された前記異なるＩＭＳＩを付与するように構成されており、
前記異なるＩＭＳＩのそれぞれは、前記第１のモバイルネットワーク以外のネットワークに関連付けられており、前記選択は、前記複数のモバイル機器によって前記所定の期間にわたって使用された前記データ量に少なくとも部分的に基づいている、システム。
【請求項８】
請求項３に記載のシステムにおいて、前記データ検査モジュールは、さらに、複数のモバイル機器からのデータトラフィックを検査することに基づいて、所定のモバイルネットワークについてネットワーク性能メトリクスを判断するように構成され、前記複数のモバイル機器のそれぞれには、前記所定のモバイルネットワークと関連付けられたＩＭＳＩが付与されている、システム。
【請求項９】
請求項３に記載のシステムにおいて、前記データ検査モジュールは、さらに、前記モバイル機器の現在付与されているＩＭＳＩに関連付けられたデータポリシーに基づいて、検査されたデータトラフィックを拒否、許可、または変更するように構成されている、システム。
【請求項１０】
請求項３に記載のシステムにおいて、前記データ検査モジュールは、さらに、前記モバイル機器の種類に基づいて、検査されたデータトラフィックを拒否、許可、または変更するように構成されている、システム。
【請求項１１】
請求項１に記載のシステムにおいて、前記第２のＩＭＳＩの前記選択は、さらに、
前記第１のモバイルネットワークまたは前記第２のモバイルネットワークの国、
前記モバイル機器の位置、
前記第１のモバイルネットワークまたは前記第２のモバイルネットワークのオペレータ、
前記第１のモバイルネットワークまたは前記第２のモバイルネットワークのデータレート費用、
前記第１のモバイルネットワークまたは前記第２のモバイルネットワークのクオリティ・オブ・サービス
の１つ以上に基づいている、システム。
【請求項１２】
請求項３に記載のシステムにおいて、前記モバイル機器は、前記モバイル機器に前記第２のＩＭＳＩが付与される前において、前記第１のモバイルネットワークでローミングしている、システム。
【請求項１３】
第１のモバイルネットワークに関連付けられた第１の国際移動体加入者識別番号（ＩＭＳＩ）が付与されたモバイル機器から送信されるデータトラフィックを検査することと、
前記モバイル機器が前記検査されたデータトラフィックから要求しているまたはアクセスしているデータサービスの識別を判断することと、
前記モバイル機器に付与するための、第２のモバイルネットワークに関連付けられた第２のＩＭＳＩを選択することであって、前記第２のＩＭＳＩの前記選択は、前記モバイル機器から送信される前記検査されたデータトラフィックから判断される前記データサービスの前記識別に少なくとも部分的に基づいている、ことと、
前記第２のＩＭＳＩを前記モバイル機器に付与することと、を含み、
前記識別は、
（ｉ）データ接続を要求しているまたはデータ接続にアクセスしている前記モバイル機器によって実行されるソフトウェアアプリケーション、
（ｉｉ）前記モバイル機器によって要求されているインターネットウェブサイト、
（ｉｉｉ）前記モバイル機器がアクセスを要求したインターネットプロトコルアドレスの少なくとも１つである、方法。
【請求項１４】
請求項１３に記載の方法において、前記第２のＩＭＳＩを前記モバイル機器に付与する前に、前記第２のＩＭＳＩが、回避するＩＭＳＩのリストに含まれていないことを判断することをさらに含む方法。
【請求項１５】
請求項１３に記載の方法において、さらに、
前記モバイル機器から送信されるデータトラフィックをデータサービスのシグネチャについて検査することと、
検査された前記データトラフィックからのデータサービスのシグネチャを、シグネチャデータベースに記憶されているデータサービスの既知のシグネチャと比較して、前記モバイル機器が前記検査されたデータトラフィックから要求しているまたはアクセスしている前記データサービスの前記識別を判断することと、が含まれる、方法。
【請求項１６】
請求項１３に記載の方法において、前記データトラフィックは、ディープ・パケット・インスペクションを用いて検査される、方法。
【請求項１７】
請求項１３に記載の方法において、前記第２のＩＭＳＩを選択することは、前記モバイル機器によって要求されるまたはアクセスされる前記識別されたデータサービスに対して前記第２のモバイルネットワークが課金するレートに基づいており、前記第２のモバイルネットワークが課金する前記レートは前記識別されたデータサービスに特有である、方法。
【請求項１８】
請求項１３に記載の方法において、前記第２のＩＭＳＩの選択は、さらに、前記第１のモバイルネットワークまたは前記第２のモバイルネットワークの状況、前記モバイル機器が要求しているデータの種類、前記モバイル機器によって要求されるデータ量のいずれか１つ以上に基づいている、方法。
【請求項１９】
請求項１５に記載の方法において、
所定の期間にわたって複数のモバイル機器によって使用されたデータ量を追跡することであって、それぞれの前記モバイル機器には、前記第１のモバイルネットワークと関連付けられたＩＭＳＩが付与されている、ことと、
前記複数のモバイル機器の少なくとも一部に付与する異なるＩＭＳＩを選択することであって、前記異なるＩＭＳＩのそれぞれは、前記第１のモバイルネットワーク以外のネットワークに関連付けられており、前記選択は、前記複数のモバイル機器によって前記所定の期間にわたって使用された前記データ量に少なくとも部分的に基づいている、ことと、
前記複数のモバイル機器の前記少なくとも一部に対して、選択された前記異なるＩＭＳＩを付与することと、
をさらに含む方法。
【請求項２０】
請求項１５に記載の方法において、前記モバイル機器の現在付与されているＩＭＳＩに関連付けられたデータポリシーに基づいて、検査されたデータトラフィックを拒否、許可、または変更することをさらに含む方法。
【請求項２１】
請求項１５に記載の方法において、複数のモバイル機器からのデータトラフィックを検査することに基づいて、所定のモバイルネットワークについてネットワーク性能メトリクスを判断することをさらに含み、前記複数のモバイル機器のそれぞれには、前記所定のモバイルネットワークと関連付けられたＩＭＳＩが付与されている、方法。
【請求項２２】
請求項１５に記載の方法において、前記モバイル機器の種類に基づいて、検査されたデータトラフィックを、拒否、許可、または変更することをさらに含む方法。
【請求項２３】
請求項１３に記載の方法において、前記第２のＩＭＳＩの前記選択は、さらに、
前記第１のモバイルネットワークまたは前記第２のモバイルネットワークの国、
前記モバイル機器の位置、
前記第１のモバイルネットワークまたは前記第２のモバイルネットワークのオペレータ、
前記第１のモバイルネットワークまたは前記第２のモバイルネットワークのデータレート費用、
前記第１のモバイルネットワークまたは前記第２のモバイルネットワークのクオリティ・オブ・サービス
の１つ以上に基づいている、方法。
【請求項２４】
請求項１５に記載の方法において、前記モバイル機器は、前記モバイル機器に前記第２のＩＭＳＩが付与される前において、前記第１のモバイルネットワークでローミングしている、方法。
【請求項２５】
モバイルネットワークと関連付けられた第１の国際移動体加入者識別番号（ＩＭＳＩ）に付与されたモバイル機器から送信されるデータトラフィックを検査し、
前記モバイル機器が前記検査したデータトラフィックから要求しているまたはアクセスしているデータサービスの識別を判断し、
判断された前記識別を切替論理モジュールへ送信するように構成されたデータ検査モジュールを備え、
前記識別は、
（ｉ）データ接続を要求しているまたはデータ接続にアクセスしている前記モバイル機器によって実行されるソフトウェアアプリケーション、
（ｉｉ）前記モバイル機器によって要求されるインターネットウェブサイト、
（ｉｉｉ）前記モバイル機器がアクセスを要求したインターネットプロトコルアドレスの少なくとも１つを識別し、
前記切替論理モジュールは、前記モバイル機器に第２のＩＭＳＩを付与するように構成され、
前記第２のＩＭＳＩは、前記切替論理モジュールによって前記データサービスの前記識別に少なくとも部分的に基づいて選択される、システム。
【請求項２６】
請求項２５に記載のシステムにおいて、さらに、
前記切替論理モジュールを備え、
前記データ検査モジュールは、さらに、前記モバイル機器から送信される前記データトラフィックをデータサービスのシグネチャについて検査するように構成されており、
前記データ検査モジュールは、さらに、前記データサービスの前記識別を判断するために、所定のデータサービスの所定のシグネチャを、シグネチャデータベースに記憶されているデータサービスの既知のシグネチャと比較するように構成されており、
前記所定のシグネチャは、検査された前記データトラフィックに存在する、システム。
【請求項２７】
請求項２５に記載のシステムにおいて、前記データ検査モジュールは、さらに、ディープ・パケット・インスペクションを用いて、前記モバイル機器から送信される前記データトラフィックを検査するように構成されている、システム。
【請求項２８】
請求項２５に記載のシステムにおいて、
前記モバイルネットワークは第１のモバイルネットワークであり、
前記第２のＩＭＳＩは第２のモバイルネットワークと関連付けられており、
前記切替論理モジュールは、さらに、
前記第１のまたは第２のモバイルネットワークの状況、
前記モバイル機器が要求しているデータの種類、
前記モバイル機器によって要求されるデータ量
またはこれらの組合せに基づいて、
前記第２のＩＭＳＩを選択するように構成されている、システム。
【請求項２９】
請求項２５に記載のシステムにおいて、
前記データ検査モジュールは、さらに、所定の期間にわたって複数のモバイル機器によって使用されたデータ量を追跡するように構成され、前記複数のモバイル機器のそれぞれには、前記モバイルネットワークと関連付けられたＩＭＳＩが付与されており、
前記切替論理モジュールは、さらに、
前記複数のモバイル機器の少なくとも一部に付与する異なるＩＭＳＩを選択し、
前記複数のモバイル機器によって前記所定の期間にわたって使用された前記データ量にさらに少なくとも部分的に基づいて、前記第２のＩＭＳＩを選択し、
前記複数のモバイル機器の少なくとも一部に対して、選択された前記異なるＩＭＳＩを付与するように構成されており、
前記異なるＩＭＳＩのそれぞれには、前記モバイルネットワーク以外のネットワークに関連付けられている、システム。
【請求項３０】
請求項２５に記載のシステムにおいて、
前記データ検査モジュールは、さらに、複数のモバイル機器からの検査するデータトラフィックに基づいて所定のモバイルネットワークについてネットワーク性能メトリクスを判断するように構成されており、
前記複数のモバイル機器のそれぞれには、前記所定のモバイルネットワークに関連付けられたＩＭＳＩが付与される、システム。
【請求項３１】
請求項２５に記載のシステムにおいて、
前記データ検査モジュールは、さらに、前記モバイル機器の現在付与されているＩＭＳＩに関連付けられたデータポリシーに基づいて、検査された前記データトラフィックの少なくとも一部を拒否、許可、または変更するように構成されている、システム。
【請求項３２】
請求項２５に記載のシステムにおいて、
前記データ検査モジュールは、さらに、前記モバイル機器の種類に基づいて、検査された前記データトラフィックの少なくとも一部を拒否、許可、または変更するように構成されている、システム。
【請求項３３】
請求項２５に記載のシステムにおいて、さらに、
前記切替論理モジュールを備え、
前記モバイルネットワークは第１のモバイルネットワークであり、
前記第２のＩＭＳＩは第２のモバイルネットワークに関連付けられており、
前記切替論理モジュールは、さらに、
前記第１のモバイルネットワークまたは前記第２のモバイルネットワークの国、
前記モバイル機器の位置、
前記第１のモバイルネットワークまたは前記第２のモバイルネットワークのオペレータ、
前記第１のモバイルネットワークまたは前記第２のモバイルネットワークのデータレート費用、
前記第１のモバイルネットワークまたは前記第２のモバイルネットワークのクオリティ・オブ・サービス
またはこれらの組合せに基づき、
前記第２のＩＭＳＩを選択するように構成されている、システム。
【請求項３４】
請求項２５に記載のシステムにおいて、
前記モバイルネットワークは第１のモバイルネットワークであり、
前記第２のＩＭＳＩは第２のモバイルネットワークに関連付けられており、
前記モバイル機器は、前記モバイル機器に前記第２のＩＭＳＩが付与される前において、前記第１のモバイルネットワークでローミングしている、システム。
【請求項３５】
モバイルネットワークに関連付けられた国際移動体加入者識別番号（ＩＭＳＩ）を選択し、
選択された前記ＩＭＳＩを前記モバイル機器に付与するように構成された、切替論理モジュールを備えるシステムであって、
前記ＩＭＳＩの選択は、少なくとも部分的に、受信したデータサービスの識別に基づいており、
前記データサービスはモバイル機器によって要求されまたはアクセスされ、
前記受信した識別は前記モバイル機器から送信されるデータトラフィックの検査に基づいている、システム。
【請求項３６】
請求項３５に記載のシステムにおいて、前記切替論理モジュールは、さらに、前記ＩＭＳＩを前記モバイル機器に付与する前に、前記ＩＭＳＩが、回避するＩＭＳＩのリストに含まれていないことを判断するように構成されている、システム。
【請求項３７】
請求項３５に記載のシステムにおいて、前記切替論理モジュールは、さらに、前記データサービスに対して前記モバイルネットワークが課金するレートに基づいて、前記ＩＭＳＩを選択するように構成されており、前記モバイルネットワークが課金する前記レートは、前記データサービスに特有である、システム。
【請求項３８】
請求項３５に記載のシステムにおいて、
前記モバイル機器に第１のモバイルネットワークに関連付けられた第１のＩＭＳＩが付与され、
前記モバイルネットワークは第２のモバイルネットワークであり、
前記ＩＭＳＩは前記第２のモバイルネットワークに関連付けられた第２のＩＭＳＩであり、
前記切替論理モジュールは、さらに、
前記第１のまたは前記第２のモバイルネットワークの状況、
前記モバイル機器が要求しているデータの種類、
前記モバイル機器によって要求されるデータ量
またはこれらの組合せに基づいて
前記第２のＩＭＳＩを選択するように構成されている、システム。
【請求項３９】
請求項３５に記載のシステムにおいて、
前記モバイル機器に第１のモバイルネットワークに関連付けられた第１のＩＭＳＩが付与され、
前記モバイルネットワークは第２のモバイルネットワークであり、
前記ＩＭＳＩは前記第２のモバイルネットワークに関連付けられた第２のＩＭＳＩであり、
前記切替論理モジュールは、さらに、
前記複数のモバイル機器の少なくとも一部に付与される異なるＩＭＳＩを選択し、
前記第２のＩＭＳＩを、前記複数のモバイル機器によって所定の期間にわたって使用されたデータ量にさらに基づいて選択し、
選択された前記異なるＩＭＳＩを、前記複数のモバイル機器の少なくとも一部に付与するように構成されており、
前記異なるＩＭＳＩのそれぞれは、前記第１のモバイルネットワーク以外に関連付けられている、システム。
【請求項４０】
請求項３５に記載のシステムにおいて、
前記モバイル機器に、第１のモバイルネットワークに関連付けられた第１のＩＭＳＩが付与され、
前記モバイルネットワークは第２のモバイルネットワークであり、
前記ＩＭＳＩは前記第２のモバイルネットワークに関連付けられた第２のＩＭＳＩであり、
前記切替論理モジュールは、さらに、
前記第１のモバイルネットワークまたは前記第２のモバイルネットワークの国、
前記モバイル機器の位置、
前記第１のモバイルネットワークまたは前記第２のモバイルネットワークのオペレータ、
前記第１のモバイルネットワークまたは前記第２のモバイルネットワークのデータレート費用、
前記第１のモバイルネットワークまたは前記第２のモバイルネットワークのクオリティ・オブ・サービス
またはこれらの組合せに基づいて、
前記第２のＩＭＳＩを選択するように構成されている、システム。
【請求項４１】
請求項３５に記載のシステムにおいて、
前記モバイル機器に、第１のモバイルネットワークに関連付けられた第１のＩＭＳＩが付与され、
前記モバイルネットワークは第２のモバイルネットワークであり、
前記ＩＭＳＩは前記第２のモバイルネットワークに関連付けられた第２のＩＭＳＩであり、
前記モバイル機器は、前記モバイル機器に前記第２のＩＭＳＩが付与される前において、前記第１のモバイルネットワークでローミングしている、システム。
【請求項４２】
モバイルネットワークと関連付けられた第１の国際移動体加入者識別番号（ＩＭＳＩ）に付与されたモバイル機器から送信されるデータトラフィックを検査することと、
前記モバイル機器が前記検査されたデータトラフィックから要求されるまたはアクセスされるデータサービスの識別を判断することと、
判断された前記識別を第２のＩＭＳＩが前記モバイル機器に付与され得るように送信することとを含み、
前記識別は、
（ｉ）データ接続を要求しているまたはデータ接続にアクセスしている前記モバイル機器によって実行されるソフトウェアアプリケーション、
（ｉｉ）前記モバイル機器によって要求されるインターネットウェブサイト、
（ｉｉｉ）前記モバイル機器がアクセスを要求したインターネットプロトコルアドレスの少なくとも１つを識別し、
前記第２のＩＭＳＩは、判断された前記データサービスの前記識別に少なくとも部分的に基づいて選択される、方法。
【請求項４３】
請求項４２に記載の方法において、さらに、前記モバイル機器から送信されるデータトラフィックをデータサービスのシグネチャについて検査することを含み、
前記データサービスの前記識別を判断することが、所定のデータサービスの所定のシグネチャを、シグネチャデータベースに記録されているデータサービスの既知のシグネチャと比較することを含み、
前記所定のシグネチャは検査された前記データトラフィックに存在する、方法。
【請求項４４】
請求項４２に記載の方法において、前記検査することは、ディープ・パケット・インスペクションを用いて、前記モバイル機器から送信される前記データトラフィックを検査することを含む、方法。
【請求項４５】
請求項４２に記載の方法において、
前記検モバイルネットワークは第１のモバイルネットワークであり、
前記第２のＩＭＳＩは第２のモバイルネットワークに関連付けられており、
前記第２のＩＭＳＩは、さらに、
前記第１のまたは前記第２のモバイルネットワークの状況、
前記モバイル機器が要求しているデータの種類、
前記モバイル機器によって要求されるデータ量
またはこれらの組合せに基づいて選択される、方法。
【請求項４６】
請求項４２に記載の方法において、
前記モバイルネットワークは第１のモバイルネットワークであり、
前記第２のＩＳＭＩは第２のモバイルネットワークに関連付けられており、
前記方法は、さらに、
所定の期間にわたって複数のモバイル機器によって使用されたデータ量を追跡することであって、それぞれの前記モバイル機器には、前記第１のモバイルネットワークと関連付けられたＩＭＳＩが付与されている、ことと、
前記複数のモバイル機器の少なくとも一部に付与する異なるＩＭＳＩを選択することと、
前記複数のモバイル機器の少なくとも一部に対して、選択された前記異なるＩＭＳＩを付与することと、を含み、
前記第２のＩＭＳＩは、さらに、前記複数のモバイル機器によって前記所定の期間にわたって使用された前記データ量に基づいて選択され、
異なるＩＭＳＩのそれぞれは、前記第１のモバイルネットワーク以外のネットワークに関連付けられている、方法。
【請求項４７】
請求項４２に記載の方法において、
複数のモバイル機器からのデータトラフィックを検査することに基づいて、所定のモバイルネットワークについてネットワーク性能メトリクスを判断することをさらに含み、
前記複数のモバイル機器のそれぞれには、前記所定のモバイルネットワークに関連付けられたＩＭＳＩが付与されている、方法。
【請求項４８】
請求項４２に記載の方法において、前記モバイル機器の現在付与されているＩＭＳＩに関連付けられたデータポリシーに基づいて、検査されたデータトラフィックを拒否、許可、または変更することをさらに含む方法。
【請求項４９】
請求項４２に記載の方法において、前記モバイル機器の種類に基づいて、検査された前記データトラフィックの少なくとも一部を拒否、許可、または変更することをさらに含む方法。
【請求項５０】
請求項４２に記載の方法において、
前記モバイルネットワークは第１のモバイルネットワークであり、
前記第２のＩＭＳＩは第２のモバイルネットワークに関連付けられており、
前記第２のＩＭＳＩを選択することは、さらに、
前記第１のモバイルネットワークまたは前記第２のモバイルネットワークの国、
前記モバイル機器の位置、
前記第１のモバイルネットワークまたは前記第２のモバイルネットワークのオペレータ、
前記第１のモバイルネットワークまたは前記第２のモバイルネットワークのデータレート費用、
前記第１のモバイルネットワークまたは前記第２のモバイルネットワークのクオリティ・オブ・サービス
またはこれらの組合せに基づく、方法。
【請求項５１】
請求項４２に記載の方法において、
前記モバイルネットワークは第１のモバイルネットワークであり、
前記第２のＩＭＳＩは第２のモバイルネットワークに関連付けられており、
前記モバイル機器は、前記モバイル機器に前記第２のＩＭＳＩが付与される前において、前記第１のモバイルネットワークでローミングしている、方法。
【請求項５２】
モバイルネットワークに関連付けられた国際移動体加入者識別番号（ＩＭＳＩ）を選択することと、
前記モバイル機器に前記ＩＭＳＩを付与することと、
を含む方法であって、
前記選択することは、少なくとも部分的に、受信したデータサービスの識別に基づいており、
前記データサービスはモバイル機器によって要求されまたはアクセスされ、
前記受信した識別は、前記モバイル機器から発信されたデータトラフィックの検査に基づいている、方法。
【請求項５３】
請求項５２に記載の方法において、前記ＩＭＳＩを前記モバイル機器に付与する前に、回避するＩＭＳＩのリストに前記ＩＭＳＩが含まれていないことを判断することをさらに含む方法。
【請求項５４】
請求項５２に記載の方法において、
前記データサービスに対して前記モバイルネットワークが課金するレートに基づいて、前記ＩＭＳＩを選択することをさらに含み、
前記モバイルネットワークが課金する前記レートは、前記データサービスに特有である、方法。
【請求項５５】
請求項５２に記載の方法において、
第１のモバイルネットワークに関連付けられた第１のＩＭＳＩが前記モバイル機器に付与され、
前記モバイルネットワークは第２のモバイルネットワークであり、
前記ＩＭＳＩは第２のモバイルネットワークに関連付けられた第２のＩＭＳＩであり、
前記選択することは、さらに、
第１のまたは第２のネットワークの状況、
前記モバイル機器が要求しているデータの種類、
前記モバイル機器によって要求されるデータ量
またはこれらの組合せに基づく、方法。
【請求項５６】
請求項５２に記載の方法において、
第１のモバイルネットワークに関連付けられた第１のＩＭＳＩが前記モバイル機器に付与され、
前記モバイルネットワークは第２のモバイルネットワークであり、
前記ＩＭＳＩは前記第２のモバイルネットワークに関連付けられた第２のＩＭＳＩであり、
前記方法は、
複数のモバイル機器の少なくとも一部に付与するために異なるＩＭＳＩを選択することと、
前記第２のＩＭＳＩを、所定の期間にわたって前記複数のモバイル機器によって使用されたデータ量にさらに基づいて選択することと、
選択された前記異なるＩＭＳＩを、前記複数のモバイル機器の少なくとも一部に付与することと、をさらに含み、
異なるＩＭＳＩのそれぞれは、前記第１のモバイルネットワーク以外に関連付けられている、方法。
【請求項５７】
請求項５２に記載の方法において、
前記モバイル機器に第１のモバイルネットワークに関連付けられた第１のＩＭＳＩが付与され、
前記モバイルネットワークは第２のモバイルネットワークであり、
前記ＩＭＳＩは前記第２のモバイルネットワークに関連付けられた第２のＩＭＳＩであり、
前記選択することは、
前記第１のモバイルネットワークまたは前記第２のモバイルネットワークの国、
前記モバイル機器の位置、
前記第１のモバイルネットワークまたは前記第２のモバイルネットワークのオペレータ、
前記第１のモバイルネットワークまたは前記第２のモバイルネットワークのデータレート費用、
前記第１のモバイルネットワークまたは前記第２のモバイルネットワークのクオリティ・オブ・サービス
またはこれらの組合せに、さらに基づく、方法。
【請求項５８】
請求項５２に記載の方法において、
前記モバイル機器に第１のモバイルネットワークに関連付けられた第１のＩＭＳＩが付与され、
前記モバイルネットワークは第２のモバイルネットワークであり、
前記ＩＭＳＩは前記第２のモバイルネットワークに関連付けられた第２のＩＭＳＩであり、
前記モバイル機器は、前記モバイル機器に前記第２のＩＭＳＩが付与される前において、前記第１のモバイルネットワークでローミングしている、方法。
【手続補正２】
【補正対象書類名】明細書
【補正対象項目名】００８６
【補正方法】変更
【補正の内容】
【００８６】
本発明を例示的な実施形態を参照しながら具体的に図示・説明したが、当業者であれば、添付の特許請求の範囲に包含された本発明の範囲を逸脱しない範疇で形態や細部に様々な変更を施せることを理解するであろう。
なお、本発明は、実施の態様として以下の内容を含む。
〔態様１〕
第１のモバイルネットワークと関連付けられた第１の国際移動体加入者識別番号（ＩＭＳＩ）に付与されたモバイル機器に関連するデータ使用情報であって、前記モバイル機器によって要求されているデータサービスの表示を含むデータ使用情報を受信し、前記モバイル機器に付与するための、第２のモバイルネットワークと関連付けられた第２のＩＭＳＩを選択し、かつ前記モバイル機器に前記第２のＩＭＳＩを付与するように構成された切替論理モジュールを備え、
前記第２のＩＭＳＩの前記選択は、前記モバイル機器によって要求される前記データサービスに少なくとも部分的に基づいている、システム。
〔態様２〕
態様１に記載のシステムにおいて、前記切替論理モジュールは、さらに、前記第２のＩＭＳＩを前記モバイル機器に付与する前に、前記第２のＩＭＳＩが、回避するＩＭＳＩのリストに含まれていないことを判断するように構成されている、システム。
〔態様３〕
態様１に記載のシステムにおいて、前記切替論理モジュールと通信可能に接続されたデータ検査モジュールをさらに備え、
前記データ検査モジュールは、
前記モバイル機器からのデータ要求を検査し、
検査された前記データ要求から前記モバイル機器と関連する前記データ使用情報を判断し、かつ、
前記データ使用情報を前記切替論理モジュールに送信する
ように構成されている、システム。
〔態様４〕
態様３に記載のシステムにおいて、前記データ検査モジュールは、ディープ・パケット・インスペクションを用いて前記モバイル機器からの前記データ要求を検査するように構成されている、システム。
〔態様５〕
態様１に記載のシステムにおいて、前記切替論理モジュールは、前記モバイル機器によって要求された前記データサービスに対して前記第２のモバイルネットワークが課金するレートに基づいて、前記第２のＩＭＳＩを選択するように構成されている、システム。
〔態様６〕
態様１に記載のシステムにおいて、前記データ使用情報には、前記第１のモバイルネットワークまたは前記第２のモバイルネットワークの状況、前記モバイル機器が要求しているデータの種類、前記モバイル機器によって要求されるデータ量のいずれか１つが含まれる、システム。
〔態様７〕
態様３に記載のシステムにおいて、前記データ検査モジュールは、さらに、
所定の期間にわたって複数のモバイル機器によって使用されたデータ量を追跡するように構成され、それぞれの前記モバイル機器には、前記第１のモバイルネットワークと関連付けられたＩＭＳＩが付与されており、
前記切替論理モジュールは、さらに、
前記複数のモバイル機器の少なくとも一部に付与する異なるＩＭＳＩを選択し、かつ、
前記複数のモバイル機器の前記少なくとも一部に対して、選択された前記異なるＩＭＳＩを付与するように構成されており、
前記異なるＩＭＳＩのそれぞれは、前記第１のモバイルネットワーク以外のネットワークに関連付けられており、前記選択は、前記複数のモバイル機器によって前記所定の期間にわたって使用された前記データ量に少なくとも部分的に基づいている、システム。
〔態様８〕
態様３に記載のシステムにおいて、前記データ検査モジュールは、さらに、複数のモバイル機器からのデータトラフィックを検査することに基づいて、所定のモバイルネットワークについてネットワーク性能メトリクスを判断するように構成され、前記複数のモバイル機器のそれぞれには、前記所定のモバイルネットワークと関連付けられたＩＭＳＩが付与されている、システム。
〔態様９〕
態様３に記載のシステムにおいて、前記データ検査モジュールは、さらに、前記モバイル機器の現在付与されているＩＭＳＩに関連付けられたデータポリシーに基づいて、検査されたデータ要求を拒否、許可、または変更するように構成されている、システム。
〔態様１０〕
態様３に記載のシステムにおいて、前記データ検査モジュールは、さらに、前記モバイル機器の種類に基づいて、検査されたデータ要求を拒否、許可、または変更するように構成されている、システム。
〔態様１１〕
態様１に記載のシステムにおいて、前記第２のＩＭＳＩの前記選択は、さらに、
前記第１のモバイルネットワークまたは前記第２のモバイルネットワークの国、
前記モバイル機器の位置、
前記第１のモバイルネットワークまたは前記第２のモバイルネットワークのオペレータ、
前記第１のモバイルネットワークまたは前記第２のモバイルネットワークのデータレート費用、
前記第１のモバイルネットワークまたは前記第２のモバイルネットワークのクオリティ・オブ・サービス
の１つ以上に基づいている、システム。
〔態様１２〕
態様３に記載のシステムにおいて、前記モバイル機器は、前記モバイル機器に前記第２のＩＭＳＩが付与される前において、前記第１のモバイルネットワークでローミングしている、システム。
〔態様１３〕
第１のモバイルネットワークに関連付けられた第１の国際移動体加入者識別番号（ＩＭＳＩ）が付与されたモバイル機器のデータ使用情報であって、前記モバイル機器によって要求されているデータサービスの表示を含むデータ使用情報を収集することと、
前記モバイル機器に付与するための、第２のモバイルネットワークに関連付けられた第２のＩＭＳＩを選択することであって、前記第２のＩＭＳＩの前記選択は、前記モバイル機器によって要求される前記データサービスに少なくとも部分的に基づいている、ことと、
前記第２のＩＭＳＩを前記モバイル機器に付与することと、
を含む方法。
〔態様１４〕
態様１３に記載の方法において、前記第２のＩＭＳＩを前記モバイル機器に付与する前に、前記第２のＩＭＳＩが、回避するＩＭＳＩのリストに含まれていないことを判断することをさらに含む方法。
〔態様１５〕
態様１３に記載の方法において、前記データ使用情報を収集することには、前記第１のＩＭＳＩが付与された前記モバイル機器からの前記データ要求を検査することと、検査された前記データ要求から前記モバイル機器と関連する前記データ使用情報を判断することと、が含まれる、方法。
〔態様１６〕
態様１５に記載の方法において、前記データ要求は、ディープ・パケット・インスペクションを用いて検査される、方法。
〔態様１７〕
態様１３に記載の方法において、前記第２のＩＭＳＩを選択することは、前記モバイル機器によって要求される前記データサービスに対して前記第２のモバイルネットワークが課金するレートに基づいている、方法。
〔態様１８〕
態様１３に記載の方法において、前記データ使用情報には、前記第１のモバイルネットワークまたは前記第２のモバイルネットワークの状況、前記モバイル機器が要求しているデータの種類、前記モバイル機器によって要求されるデータ量のいずれか１つが含まれる、方法。
〔態様１９〕
態様１５に記載の方法において、
所定の期間にわたって複数のモバイル機器によって使用されたデータ量を追跡することであって、それぞれの前記モバイル機器には、前記第１のモバイルネットワークと関連付けられたＩＭＳＩが付与されている、ことと、
前記複数のモバイル機器の少なくとも一部に付与する異なるＩＭＳＩを選択することであって、前記異なるＩＭＳＩのそれぞれは、前記第１のモバイルネットワーク以外のネットワークに関連付けられており、前記選択は、前記複数のモバイル機器によって前記所定の期間にわたって使用された前記データ量に少なくとも部分的に基づいている、ことと、
前記複数のモバイル機器の前記少なくとも一部に対して、選択された前記異なるＩＭＳＩを付与することと、
をさらに含む方法。
〔態様２０〕
態様１５に記載の方法において、前記モバイル機器の現在付与されているＩＭＳＩに関連付けられたデータポリシーに基づいて、検査されたデータ要求を拒否、許可、または変更することをさらに含む方法。
〔態様２１〕
態様１５に記載の方法において、複数のモバイル機器からのデータトラフィックを検査することに基づいて、所定のモバイルネットワークについてネットワーク性能メトリクスを判断することをさらに含み、前記複数のモバイル機器のそれぞれには、前記所定のモバイルネットワークと関連付けられたＩＭＳＩが付与されている、方法。
〔態様２２〕
態様１５に記載の方法において、前記モバイル機器の種類に基づいて、検査されたデータ要求を拒否、許可、または変更することをさらに含む方法。
〔態様２３〕
態様１３に記載の方法において、前記第２のＩＭＳＩの前記選択は、さらに、
前記第１のモバイルネットワークまたは前記第２のモバイルネットワークの国、
前記モバイル機器の位置、
前記第１のモバイルネットワークまたは前記第２のモバイルネットワークのオペレータ、
前記第１のモバイルネットワークまたは前記第２のモバイルネットワークのデータレート費用、
前記第１のモバイルネットワークまたは前記第２のモバイルネットワークのクオリティ・オブ・サービス
の１つ以上に基づいている、方法。
〔態様２４〕
態様１５に記載の方法において、前記モバイル機器は、前記モバイル機器に前記第２のＩＭＳＩが付与される前において、前記第１のモバイルネットワークでローミングしている、方法。